(57)【要約】【課題】トイレットペーパーを円滑に所望の長さ引き出して使用することができ、嵩張ることもなく、携帯に便利な携帯式トイレットペーパーを提供する。【解決手段】内方筒２と、内方筒２に回転自在に軸支される回転筒３と、所定間隔をもって切断用ミシン目が連続的に刻設されたトイレットペーパー４がロール状に巻かれ、ロールの中心孔５に回転筒３が貫入されるトイレットペーパー部６と、トイレットペーパー部６を所定間隔離間して被包し、両端部が内方筒２の両端部に夫々接着され、外周部にトイレットペーパー４を引き出すための開口部が形成された外方筒８とを備え、内方筒２、回転筒３、トイレットペーパー部６、及び、外方筒８は夫々屈曲自在に構成された携帯式トイレットペーパー１であって、携帯時には、全体を扁平状に屈曲させて携帯する。【選択図】図３
2008279070.tif 000002
【特許請求の範囲】
【請求項１】
内方筒と、
前記内方筒に回転自在に軸支される回転筒と、
所定間隔をもって切断用ミシン目が連続的に刻設されたトイレットペーパーがロール状に巻かれ、ロールの中心孔に前記回転筒が貫入されるトイレットペーパー部と、
前記トイレットペーパー部を所定間隔離間して被包し、両端部が前記内方筒の両端部に夫々接着され、外周部に前記トイレットペーパーを引き出すための開口部が形成された外方筒とを備え、
前記内方筒、回転筒、トイレットペーパー部、及び、外方筒は夫々屈曲自在に構成された携帯式トイレットペーパーであって、
携帯時には、全体を扁平状に屈曲させて携帯し、
トイレットペーパー使用時には、全体を円筒状に復元させ、前記回転筒と共にトイレットペーパー部を前記内方筒回りに回転させて前記トイレットペーパーを前記開口部から引き出すように構成されたことを特徴とする携帯式トイレットペーパー。
【請求項２】
前記開口部は、ミシン目が刻設され、トイレットペーパー使用時に前記ミシン目を破断して開口部を形成するように構成されていることを特徴とする請求項１記載の携帯式トイレットペーパー。
【請求項３】
前記外方筒に宣伝用表示シートを表示自在に収納する収納部を設けたことを特徴とする請求項１又は２記載の携帯式トイレットペーパー。
【発明の詳細な説明】
【技術分野】
【０００１】
本発明は、トイレットペーパーを円滑に所望の長さ引き出して使用することができ、嵩張ることもなく、携帯に便利な携帯式トイレットペーパーに関する。
【背景技術】
【０００２】
従来、公共施設等において経費節約等のためにトイレットペーパーを備え付けていないトイレがあり、不便を感じることがあった。
そのような場合に於いては、携帯ティッシュペーパーで代用するケースが多く、その場合、携帯ティッシュペーパーによる種々の問題点が発生していた。
携帯ティッシュペーパーを用いる場合には、例えば次のような問題点が発生する。
（１）ティッシュペーパーはトイレを詰まらせる虞がある。
（２）携帯ティッシュペーパーは、連続して取り出すことができない。
（３）携帯ティッシュペーパーは、必要な長さを調節して取り出すことができない。
（４）一般に用いられている携帯ティッシュペーパーでは枚数が不足する場合が発生する。
【０００３】
そこで、携帯式トイレットペーパーが望まれるが、実用的な携帯式トイレットペーパーはまだ知られていない。
先行文献として、例えば特許文献１があるが、特許文献１は、市販のトイレットペーパーをそのまま収納するボックスであり、携帯性の点で問題がある。
【特許文献１】実用新案登録第３１３０３７０号公報
【発明の開示】
【発明が解決しようとする課題】
【０００４】
前述したように、実用的な携帯式トイレットペーパーはまだ知られていない。
然しながら、トイレットペーパーを備え付けていないトイレはまだ存在するため、トイレにティシュペーパーを使用する等によって発生する問題が解決していない。
【０００５】
以上の現状に鑑み、本発明は、トイレットペーパーを円滑に所望の長さ引き出して使用することができ、嵩張ることもなく、携帯に便利な携帯式トイレットペーパーを提供することを目的とする。
【課題を解決するための手段】
【０００６】
上記の課題を解決すべく、本発明は以下の構成を提供する。
請求項１に係る発明は、内方筒と、
前記内方筒に回転自在に軸支される回転筒と、
所定間隔をもって切断用ミシン目が連続的に刻設されたトイレットペーパーがロール状に巻かれ、ロールの中心孔に前記回転筒が貫入されるトイレットペーパー部と、
前記トイレットペーパー部を所定間隔離間して被包し、両端部が前記内方筒の両端部に夫々接着され、外周部に前記トイレットペーパーを引き出すための開口部が形成された外方筒とを備え、
前記内方筒、回転筒、トイレットペーパー部、及び、外方筒は夫々屈曲自在に構成された携帯式トイレットペーパーであって、
携帯時には、全体を扁平状に屈曲させて携帯し、
トイレットペーパー使用時には、全体を円筒状に復元させ、前記回転筒と共にトイレットペーパー部を前記内方筒回りに回転させて前記トイレットペーパーを前記開口部から引き出すように構成されたことを特徴とする携帯式トイレットペーパーを提供するものである。
【０００７】
請求項２に係る発明は、前記開口部は、ミシン目が刻設され、トイレットペーパー使用時に前記ミシン目を破断して開口部を形成するように構成されていることを特徴とする請求項１記載の携帯式トイレットペーパーを提供するものである。
【０００８】
請求項３に係る発明は、前記外方筒に宣伝用表示シートを表示自在に収納する収納部を設けたことを特徴とする請求項１又は２記載の携帯式トイレットペーパーを提供するものである。
【発明の効果】
【０００９】
本発明の請求項１記載の発明によれば、携帯時には、全体を扁平状に屈曲させて携帯することができ、嵩張ることもなく、携帯に便利な携帯式トイレットペーパーを提供することができる。
そして、トイレットペーパー使用時には、全体を円筒状に復元させ、回転筒と共にトイレットペーパー部を内方筒回りに回転させてトイレットペーパーを開口部から引き出せば、トイレットペーパー部が内方筒や外方筒に引っかかることなく円滑に回転し、トイレットペーパーをスムーズに所望の長さ引き出して使用することができる。
又、トイレットペーパーを便利に携帯できることにより、トイレットペーパーを備え付けていない公共施設等のトイレで利用できると共に、それらのトイレの便器の詰まりの問題を解消できる。
或いは、トイレにおけるトイレットペーパーの備え付けの有無に関わらず、携帯式トイレットペーパーのトイレットペーパーの紙質等を個人の好みのもの、例えば、軟らかい紙質、肌ざわりの良いもの、除菌効果のあるもの、拭取り効果の高い水や薬液を染み込ませたもの、吸水性の高いもの等にすることによって、個人の好みに合わせたトイレットペーパーを携帯して利用することが可能になる。
更に、ティシュペーパーとしても利用できる。
更に又、ペット用のトイレットペーパーとして、特に、ペットの外出時のトイレットペーパーとして利用することも可能である。
【００１０】
請求項２記載の発明によれば、請求項１記載の発明の効果に加え、ミシン目を破断して開口部を形成するように構成されているので、使用前のトイレットペーパーの開口部からの飛び出しを防止することができると共に、開口部が容易に形成できる。
【００１１】
請求項３記載の発明によれば、請求項１又は２記載の発明の効果に加え、外方筒に宣伝用表示シートを表示自在に収納する収納部を設けたので、宣伝用の表示が容易であると共に、携帯式トイレットペーパーを宣伝用として利用することができる。
【発明を実施するための最良の形態】
【００１２】
以下、実施例を示した図面を参照しつつ本発明の実施の形態を説明する。
図１は、本発明の携帯式トイレットペーパーの斜視図を示し、図２は、組み立て前の分解図を示している。図３は、図１の携帯式トイレットペーパーのＡ−Ａ線断面図を示し、図４は、図１の携帯式トイレットペーパーのＢ−Ｂ線断面図を示す。
尚、図１乃至図４に示す携帯式トイレットペーパーは扁平状に屈曲させた状態を示している。
図１及び図２に於いて、１は本発明の携帯式トイレットペーパーであり、携帯式トイレットペーパー１は、中心部に設けられる内方筒２と、内方筒２に回転自在に軸支される回転筒３と、トイレットペーパー４がロール状に巻かれ、ロールの中心孔５に回転筒３が貫入されるトイレットペーパー部６と、トイレットペーパー部６を所定間隔離間して被包し、両端部が内方筒２の両端部に夫々接着され、外周部にトイレットペーパー４を引き出すための開口部７が形成された外方筒８とを備えている。
尚、図１及び図２に於いて、携帯式トイレットペーパー１は扁平状に屈曲された状態であるため、この状態では、回転筒３は内方筒２に対して回転しないが、後述するように、携帯式トイレットペーパー１を円筒状に復元させると（図７参照）、回転筒３は内方筒２に対して回転可能になる。
又、携帯式トイレットペーパー１を組み立てる際は、夫々の部品を扁平状に屈曲しない状態、即ち円筒状態で組み立てる方が組み立て易い。
【００１３】
そして、前記内方筒２、回転筒３、トイレットペーパー部６、及び、外方筒８は夫々屈曲自在に構成され、携帯時には、携帯式トイレットペーパー１の全体を扁平状に屈曲させて携帯するように構成され、即ち、嵩張らないように携帯式ティッシュペーパーの如き形状になるように構成され、トイレットペーパー４使用時には、携帯式トイレットペーパー１の全体を円筒状に復元させ、回転筒３と共にトイレットペーパー部６を内方筒２回りに回転させてトイレットペーパー４を開口部７から引き出すように構成されている。
【００１４】
又、前記トイレットペーパー部６は、左方から見てトイレットペーパー４がロール状に時計方向に巻かれており、巻き始め部分４ａを含む中心部には所定直径のロールの前記中心孔５が形成され、トイレットペーパー４には図７に示すように所定間隔をもって切断用ミシン目２１，２１…が連続的に刻設されている。
即ち、トイレットペーパー部６は、切断用のミシン目が刻設された公知のトイレットペーパーから芯を引き抜いたものを利用することができる。或いは、芯を引き抜かず、芯を回転筒として利用しても良い。但し、トイレットペーパーの巻き厚は、適宜に調節しても良い。
尚、図２中、４ｂはトイレットペーパー４の終端を示し、２ｗはトイレットペーパー４の幅寸法を示している。
【００１５】
前記回転筒３は、屈曲自在のプラスチックのフィルムを用いて筒状に形成され、図３及び図４に示すように、ロール状のトイレットペーパー４における中心孔５内に貫入される回転筒部３ａと、この回転筒部３ａの両端外方に向け連設された延出縁３ｂ，３ｂから構成されている。
図２中、３ｗは回転筒３の幅寸法を示し、幅寸法３ｗは、トイレットペーパー４の幅２ｗ＋延出縁３ｂの長さ×２の寸法に形成される。
【００１６】
前記内方筒２は、屈曲自在のプラスチックのフィルムを用いて筒状に形成され、図３に示すように、回転筒３内に貫入される内方筒部２ａと、回転筒３の両端外方に延出連設された延出部２ｂ，２ｂから構成されている。
図２中、４ｗは内方筒２の幅寸法を示し、幅寸法４ｗは、トイレットペーパー４の幅２ｗ＋延出部２ｂの長さ×２の寸法に形成される。
【００１７】
前記外方筒８は、屈曲自在のプラスチックのフィルムを用いて筒状に形成され、図３に示すように、トイレットペーパー部６を離間して外方から包むように構成された外方筒部８ａと、トイレットペーパー部６の両端外方に延出連設された延出部８ｂ，８ｂとから構成されている。
そして、外方筒部８ａには、前記開口部７を形成するため、トイレットペーパー４の引き出し方向と直交する方向をもってペーパー引き出し用のミシン目が刻設されている。
図２中、５ｗは外方筒８の幅寸法を示し、幅寸法５ｗはトイレットペーパー４の幅２ｗ＋延出部８ｂの長さ×２の寸法に形成される。
【００１８】
上述のように構成されたトイレットペーパー部６と回転筒３と内方筒２と外方筒８において、内方筒２の両延出部２ｂ，２ｂの外端部２ｃ，２ｃと外方筒８の両延出部８ｂ，８ｂの外端部８ｃ，８ｃとが夫々熱溶着によって接着されている。
【００１９】
而して、前記携帯式トイレットペーパー１を携帯する時は、図５に示す如く、携帯式トイレットペーパー１の全体を扁平状に屈曲させて、携帯用ティッシュペーパーと同様の嵩張らない形状にして持ち運ぶ。尚、この時、開口部７を形成するミシン目は破断しない状態で携帯するが、図に示すように、トイレットペーパー４を取り出しやすいように、予め、ミシン目を破断して開口部７を形成し、開口部７からトイレットペーパー４の先端を突出させた状態で携帯しても良い。
【００２０】
トイレットペーパー４使用時には、図６に示すように、外方筒８のミシン目を破断して開口部７を形成し、携帯式トイレットペーパー１の全体を円筒状に復元させ、円筒状に復元させた内方筒２内に、例えば、左手の親指以外の指部を挿入して内方筒２を保持し、親指で外方筒８を押さえて携帯式トイレットペーパー１を挟持し、右手でトイレットペーパー４の先端部を掴み、トイレットペーパー４を引っ張り出すようにして回転筒３と共にトイレットペーパー部６を内方筒２回りに回転させ、図７に示す如くトイレットペーパー４を所望長さ開口部７から引き出し、切断用ミシン目２１を利用して切断使用する。
尚、前記内方筒２、回転筒３、及び、外方筒８は屈曲自在のプラスチックで形成したが、プラスチックに代えて屈曲自在の紙で形成しても良く、然る時も同様な効果が期待できる。
【００２１】
図８乃至図１１に於いて、３１は他の実施例の携帯式トイレットペーパーを示し、携帯式トイレットペーパー３１は、前記携帯式トイレットペーパー（図１に於いて１）の外方筒（図１に於いて８）に代えて、宣伝用表示シート３２を表示自在に収納する収納部３３を設けた透明プラスチックのフィルムから成る外方筒３４を配設したものである。
【００２２】
収納部３３は、例えば、外方筒３４を形成する屈曲自在の透明プラスチックのフィルムを一部重ねて巻回し、外方筒３４の重ね合わさる内側フィルムの側端部３４ａ，３４ａと、外側フィルムの側端部３４ｂ，３４ｂとを夫々溶着或いは接着することによって、外側フィルムの終端３４ｃを開口部とする収納部３３が形成される。そして、収納部３３内に宣伝用表示シート３２を挿入すれば、透明の外側フィルムを通して宣伝用表示シート３２を視認させることが可能である。
【００２３】
携帯式トイレットペーパー３１の携帯方法、及び、トイレットペーパー４取り出し時の携帯式トイレットペーパー３１の使用方法は、前記携帯式トイレットペーパー１と同じである。
尚、携帯式トイレットペーパー３１の収納部３３に代えて、収納部３３を設けない携帯式トイレットペーパー１の外方筒８に、直接、宣伝用の広告等を印刷することも可能である。
【図面の簡単な説明】
【００２４】
【図１】本発明による携帯式トイレットペーパーの一部切欠斜視図である。
【図２】本発明による携帯式トイレットペーパーの組み立て前の分解斜視図である。
【図３】図１のＡ−Ａ線拡大断面図である。
【図４】図１のＢ−Ｂ線拡大断面図である。
【図５】本発明による携帯式トイレットペーパーの携帯する状態を説明する斜視図である。
【図６】本発明による携帯式トイレットペーパーのトイレットペーパーを一部引き出した状態を説明する斜視図である。
【図７】本発明による携帯式トイレットペーパーのトイレットペーパーを所定長さ引き出した状態を説明する斜視図である。
【図８】本発明による他の実施例の携帯式トイレットペーパーの背面斜視図である。
【図９】本発明による他の実施例の携帯式トイレットペーパーの組み立て前の分解斜視図である。
【図１０】本発明による他の実施例の携帯式トイレットペーパーの正面拡大断面図である。
【図１１】本発明による他の実施例の携帯式トイレットペーパーの側面拡大断面図である。
【符号の説明】
【００２５】
１，３１  携帯式トイレットペーパー
２  内方筒
３  回転筒
４  トイレットペーパー
５  中心孔
６  トイレットペーパー部
７  開口部
８，３４  外方筒
２１  切断用ミシン目
３２  宣伝用表示シート
３３  収納部
【図１】
2008279070.tif 000003
【図２】
2008279070.tif 000004
【図３】
2008279070.tif 000005
【図４】
2008279070.tif 000006
【図５】
2008279070.tif 000007
【図６】
2008279070.tif 000008
【図７】
2008279070.tif 000009
【図８】
2008279070.tif 000010
【図９】
2008279070.tif 000011
【図１０】
2008279070.tif 000012
【図１１】
2008279070.tif 000013